(57)【特許請求の範囲】
【請求項１】
両側壁に別々に少なくとも一つの固定孔を設けたデータファイルを固定することに用いられるデータファイル固定装置であって、
側板と前記側板の一端に設けられる端板を備える第一ブラケットと、
側板と前記側板の一端に設けられる端板を備える第二ブラケットと、
前記第一ブラケットの側板の他の一端にピボットされると共に前記第二ブラケットの側板の他の一端に係合定位することができるパネルモジュールと、
を備え、前記第一ブラケットの端板と前記第二ブラケットの端板は、旋回可能に接続し、前記第一ブラケットの側板及び前記第二ブラケットの側板に別々に前記データファイルの固定孔に対応するように挿入することができる少なくとも一つの固定部品を設けることを特徴とするデータファイル固定装置。
【請求項２】
前記第一ブラケットの端板の端末が伸び出して旋回穴を有する旋回部を形成し、前記第二ブラケットの端板の端末が伸び出して互いに間隔する一対の伸展部を備える旋回部を形成し、且つ各伸展部に別々に一つの旋回穴が設けられ、前記第一ブラケットの旋回部は、前記第二ブラケットの一対の伸展部の間に収容することができ、一つのシャフトが前記第一ブラケットの旋回穴及び前記第二ブラケットの旋回穴に旋回可能に装着されることを特徴とする請求項１に記載のデータファイル固定装置。
【請求項３】
前記第一ブラケットの側板の他の一端が伸び出して旋回穴を有する旋回部を形成し、前記パネルモジュールの一端に旋回穴を有する旋回部を形成し、一つのシャフトが前記第一ブラケットの旋回穴及び前記パネルモジュールの旋回穴に旋回可能に装着されることを特徴とする請求項１に記載のデータファイル固定装置。
【請求項４】
前記第二ブラケットの側板の他の一端が伸び出して係合部を形成し、前記パネルモジュールの一端の壁面に前記係合部を係合するための係合孔が設けられることを特徴とする請求項１に記載のデータファイル固定装置。
【請求項５】
前記第一ブラケット及び前記第二ブラケットの側板に別々に少なくとも一つの取付け穴が設けられ、各固定部品は、前記データファイルの固定孔に挿入することができる固定ピン及び前記取付け穴に係合する係合キャップを備えることを特徴とする請求項１に記載のデータファイル固定装置。
【請求項６】
前記係合キャップは、係止部と、前記係止部の上に設けられる円柱部及び前記円柱部の両側に設けられる楔形のブロックを備え、前記第一ブラケット及び前記第二ブラケットの側板の取付け穴は、前記固定部品の係止部を係止するための第一窪みと、前記固定部品のブロックを収容するための第二窪み及び前記第一窪みと前記第二窪みを貫いて前記固定部品の円柱部を覆う通孔を備えることを特徴とする請求項５に記載のデータファイル固定装置。
【請求項７】
前記係合キャップは、弾性材料からなることを特徴とする請求項５に記載のデータファイル固定装置。
【発明の詳細な説明】
【技術分野】
【０００１】
本発明は、データファイル固定装置に関するものである。
【背景技術】
【０００２】
従来の技術において、一般的にハードディスク、フロッピー(登録商標)ディスク、光学ドライブなどのデータファイルを固定架に収容してから、更にねじによってこれらのデータファイルを固定架に固定する。又は先ずねじによってデータファイルの両側壁に一対のスライド・レールを固定し、スライド・レールを介してデータファイルを固定架内にスライドして固定する。しかし、データファイルを組み立てるか分解する場合、多くのねじを螺着するか取り除かなければならないため、過程が複雑で操作が不便だ。
【発明の開示】
【発明が解決しようとする課題】
【０００３】
本発明の目的は、前記課題を解決し、便利に組み立てるか分解することができるデータファイル固定装置を提供することである。
【課題を解決するための手段】
【０００４】
前記目的を達成するため、本発明に係るデータファイル固定装置は、両側壁に別々に少なくとも一つの固定孔を設けたデータファイルを固定することに用いられる。前記データファイル固定装置は、第一ブラケット、第二ブラケット及びパネルモジュールを備え、前記第一ブラケット及び前記第二ブラケットは、皆側板と前記側板の一端に設けられる端板を備え、前記第一ブラケットの端板と前記第二ブラケットの端板は、旋回可能に接続し、前記パネルモジュールは、前記第一ブラケットの側板の他の一端にピボットされると共に前記第二ブラケットの側板の他の一端に係合定位することができ、前記第一ブラケットの側板及び前記第二ブラケットの側板に別々に前記データファイルの固定孔に対応するように挿入することができる少なくとも一つの固定部品を設ける。
【発明の効果】
【０００５】
本発明に係るデータファイル固定装置において、第一ブラケットの端板と第二ブラケットの端板が旋回可能に接続し、パネルモジュールは、前記第一ブラケットの側板の他の一端にピボットされると共に前記第二ブラケットの側板の他の一端に係合定位されるため、前記データファイルを便利に組み立てるか分解することができる。
【発明を実施するための最良の形態】
【０００６】
以下、添付図面を参照しながら本発明を詳しく説明する。
【０００７】
図１及び図２を参照すると、本発明の実施形態に係るデータファイル固定装置は、データファイル１００を固定することに用いられる。データファイル固定装置は、第一ブラケット２０、第二ブラケット３０、パネルモジュール４０、若干の固定部品５０及び一対のシャフト６０を備える。
【０００８】
前記データファイル１００の両側壁に別々に二つの固定孔１２０を設ける。
【０００９】
前記第一ブラケット２０は、側板２２と、前記側板２２の両端に位置し且つ前記側板２２に直交する端板２４及び梁２６を備える。前記側板２２に若干の取付け穴２３を設ける。各取付け穴２３は、皆前記側板２２の内側に設けられる比較的大きい長方形の第一窪み２３２と、前記側板２２の外側に設けられる比較的小さい第二窪み２３４及び前記第一窪み２３２及び前記第二窪み２３４を貫く通孔２３６を備える。前記第二窪み２３４は、円形領域及び前記円形領域の両側に設けられる長方形領域を備える。前記端板２４の端末（前記側板２２から遠く離れる一端）が伸び出して旋回穴２５２を有する旋回部２５を形成する。前記梁２６に近付く前記側板２２の一端が傾斜方向に伸び出して旋回部２７を形成し、前記旋回部２７は、互いに間隔する一対の伸展部２７２を備え、各伸展部２７２に別々に一つの旋回穴２７４を設ける。
【００１０】
前記第二ブラケット３０は、側板３２及び前記側板３２の一端に位置し且つ前記側板３２に直交する端板３４を備える。前記側板３２に若干の取付け穴３２２を設ける。前記取付け穴３２２の構造は、前記取付け穴２３の構造と同じである。前記端板３４の端末が伸び出して旋回部３５を形成し、前記旋回部３５は、互いに間隔する一対の伸展部３５２を備え、各伸展部３５２に別々に一つの旋回穴３５４を設ける。前記側板３２の他の一端が伸び出して係合部３６を形成し、前記係合部３６の側面に外に向かって突出する楔形のブロック３６２を設ける。
【００１１】
前記パネルモジュール４０は、本体４２及び取手４４を備える。前記本体４２は、長方形の枠組みであって、その一端の壁面に係合孔４２２を設ける。前記パネルモジュール４０は、前記本体４２の他の一端及び前記取手４４を貫く旋回穴４４２を更に備える。
【００１２】
各固定部品５０は、前記データファイル１００の固定孔１２０に挿入することができる固定ピン５２及び前記第一ブラケット２０の側板２２又は前記第二ブラケット３０の側板３２に設けられた取付け穴２３，３２２に係合する係合キャップ５４を備える。前記係合キャップ５４は、長方形の係止部５４２、前記係止部５４２の上に設けられる円柱部５４４及び前記円柱部５４４の両側に設けられる楔形のブロック５４６を備える。前記固定ピン５２に対向する前記係合キャップ５４の一面に前記固定ピン５２を固定するための固定孔（図示せず）を設ける。前記係合キャップ５４は、弾性材料からなり、振動が前記データファイル１００に対する影響を効果的に緩衝することができる。
【００１３】
図３及び図４を参照すると、前記データファイル１００を組み立てる時、先ず、前記データファイル１００の固定孔１２０の位置に対応する前記第一ブラケット２０及び前記第二ブラケット３０の２対の取付け穴２３，３２２を選択する。次に、前記第一ブラケット２０の側板２２の内側から１対の固定部品５０を対応する取付け穴２３に取り付けることにより、前記固定部品５０の円柱部５４４は、前記取付け穴２３の通孔２３６を貫いてから前記第二窪み２３４の円形領域に収容され、前記固定部品５０のブロック５４６は、前記第二窪み２３４の長方形領域に収容され、前記固定部品５０の係止部５４２は、前記第一窪み２３２に収容且係止される。同じような方式で他の一対の固定部品５０を前記第二ブラケット３０の側板３２の取付け穴３２２に取り付ける。
【００１４】
前記第一ブラケット２０の旋回部２５を前記第二ブラケット３０の旋回部３５の二つの伸展部３５２の間に収容してから、前記第一ブラケット２０の旋回穴２５２及び前記第二ブラケット３０の旋回穴３５４に一つのシャフト６０を装着することにより、前記第二ブラケット３０は、前記第一ブラケット２０に対して旋回することができる。前記第一ブラケット２０の旋回部２７の旋回穴２７４及び前記パネルモジュール４０の旋回穴４４２に他の一つのシャフト６０を装着することにより、前記パネルモジュール４０は、前記第一ブラケット２０に対して旋回することができる。前記第二ブラケット３０の係合部３６のブロック３６２を前記パネルモジュール４０の係合孔４２２に係合する。
【００１５】
前記データファイル１００を固定する前に、前記第二ブラケット３０の係合部３６のブロック３６２を押して、前記ブロック３６２を前記パネルモジュール４０の係合孔４２２から抜き出して、前記データファイル１００から遠く離れる方向に向かって前記パネルモジュール４０及び前記第二ブラケット３０を順次に旋回することにより、前記データファイル固定装置を開ける。
【００１６】
続いて、前記データファイル１００の一つの側壁の固定孔１２０を前記第一ブラケット２０の固定部品５０に対面して、これらの固定部品５０の固定ピン５２を前記データファイル１００の一つの側壁の固定孔１２０に挿入し、前記データファイル１００の方向に向かって前記第二ブラケット３０を旋回し、前記第二ブラケット３０の固定部品５０の固定ピン５２を前記データファイル１００の他の一つの側壁の固定孔１２０に挿入し、前記データファイル１００の方向に向かって前記パネルモジュール４０を旋回し、前記第二ブラケット３０の係合部３６のブロック３６２を前記パネルモジュール４０の係合孔４２２に係合して、前記データファイル１００を固定する。
【００１７】
前記データファイル１００を分解する時、前記第二ブラケット３０の係合部３６のブロック３６２を押して、前記ブロック３６２を前記パネルモジュール４０の係合孔４２２から抜き出し、前記データファイル１００から遠くなる方向に向かって前記パネルモジュール４０及び前記第二ブラケット３０を順次に旋回すると、前記データファイル１００を分解することができる。
【００１８】
以上本発明を実施例に基づいて具体的に説明したが、本発明は、上述の実施例に限定されるものではなく、その要旨を逸脱しない範囲において、種種変更可能であることは勿論であって、本発明の保護範囲は、特許請求の範囲から決まる。
【図面の簡単な説明】
【００１９】
【図１】本発明の実施形態に係るデータファイル固定装置の構造を示す立体分解図である。
【図２】本発明の実施形態に係るデータファイル固定装置の構造を示す立体分解図である。
【図３】本発明の実施形態に係るデータファイル固定装置の構造を示す立体組立図である。
【図４】本発明の実施形態に係るデータファイル固定装置の使用状態図である。
【符号の説明】
【００２０】
２０  第一ブラケット
２２，３２  側板
２３，３２２  取付け穴
２４，３４  端板
２５，２７，３５  旋回部
２６  梁
３０  第二ブラケット
３６  係合部
４０  パネルモジュール
４２  本体
４４  取手
５０  固定部品
５２  固定ピン
５４  係合キャップ
６０  シャフト
１００  データファイル
１２０  固定孔
２３２  第一窪み
２３４  第二窪み
２３６  通孔
２５２，２７４，３５４，４４２  旋回穴
２７２，３５２  伸展部
３６２，５４６  ブロック
４２２  係合孔
５４２  係止部
５４４  円柱部
【図１】
0005175146.tif 000002
【図２】
0005175146.tif 000003
【図３】
0005175146.tif 000004
【図４】
0005175146.tif 000005